(57)【要約】【課題】表示される色の純度を確保し、画質の向上を図る上で有利な表示素子および表示装置を提供する。【解決手段】表示素子１０は、基板１２と、複数のＬＥＤ１４と、透明板１６と、隔壁１８と、蛍光体２０と、駆動手段３０を含んで構成されている。基板１２は板状を呈している。複数のＬＥＤ１４は、基板１２の前面１２Ａ（一方の面）に実装され近紫外線光または紫外光を発光するものである。透明板１６は、基板１２と同じ輪郭の板状を呈し、基板１２の前面１２Ａに対向して設けられている。隔壁１８は、前面１２Ａと透明板１６との間に設けられている。隔壁１８は、光透過性を有しないものであり、複数のＬＥＤ１４毎にそれらＬＥＤ１４を収容する発光室２４を区画する。蛍光体２０は、発光室２４側に位置する隔壁１８の内面と、透明板１６との双方に形成されている。【選択図】図２
2011048127.tif 000002
【特許請求の範囲】
【請求項１】
基板と、
前記基板の一方の面に実装され近紫外線光または紫外光を発光する複数のＬＥＤと、
前記基板の前記一方の面に対向して設けられた光透過性を有する透明板と、
前記一方の面と前記透明板との間に、前記複数のＬＥＤ毎にそれらＬＥＤを収容する発光室を区画する光透過性を有しない隔壁と、
前記発光室側に位置する前記隔壁の内面と、前記透明板との一方または双方に形成された蛍光体とを備え、
前記蛍光体は、各発光室毎に、前記ＬＥＤから光が照射されることにより、赤色の光を発光する赤色蛍光体と、緑色の光を発光する緑色蛍光体と、青色の光を発光する青色蛍光体との何れかに選択されている、
表示素子。
【請求項２】
前記赤色蛍光体が設けられた赤色発光室と、前記緑色蛍光体が設けられた緑色発光室と、前記青色蛍光体が設けられた青色発光室とが順番に並べられている、
請求項１記載の表示素子。
【請求項３】
前記赤色発光室と、前記緑色発光室と、前記青色発光室とによって１つの画素を構成する単位発光部が構成され、
前記各単位発光部は、前記基板の一方の面上において互いに直交する行方向および列方向に沿って格子状に配置されている、
請求項２記載の表示素子。
【請求項４】
前記近紫外光または紫外光は、３００ｎｍ以上４１０ｎｍ以下の波長の光である、
請求項１記載の表示素子。
【請求項５】
前記各ＬＥＤに駆動電流を供給することにより前記各ＬＥＤを発光させる駆動手段をさらに備える、
請求項１記載の表示素子。
【請求項６】
複数の表示素子と、フレームとを備え、
前記各表示素子は、
基板と、
前記基板の一方の面に実装され近紫外線光または紫外光を発光する複数のＬＥＤと、
前記基板の前記一方の面に対向して設けられた光透過性を有する透明板と、
前記一方の面と前記透明板との間に、前記複数のＬＥＤ毎にそれらＬＥＤを収容する発光室を区画する光透過性を有しない隔壁と、
前記発光室側に位置する前記隔壁の内面と、前記透明板との一方または双方に形成された蛍光体とを備え、
前記蛍光体は、各発光室毎に、前記ＬＥＤから光が照射されることにより、赤色の光を発光する赤色蛍光体と、緑色の光を発光する緑色蛍光体と、青色の光を発光する青色蛍光体との何れかに選択され、
前記各ＬＥＤに駆動電流を供給することにより前記各ＬＥＤを発光させる駆動手段をさらに備え、
前記フレームは板状を呈し、
前記各表示素子が前記フレームの一方の面に隙間無く並べられて配置されることにより前記各表示素子により前記フレームの一方の面に単一の表示画面が形成され、
前記各表示素子における前記発光室同士の間隔と、隣接する前記表示素子の境目を挟んで互いに隣接する前記発光室の間隔とは同一寸法で形成されている、
表示装置。
【発明の詳細な説明】
【技術分野】
【０００１】
本発明は、表示素子および表示装置に関する。
【背景技術】
【０００２】
近紫外光または紫外光を発光する複数の光源と、各光源の前方に光源毎に設けられた蛍光体とを備えるＬＥＤ表示装置が提供されている（特許文献１参照）。
このＬＥＤ表示装置は、各ＬＥＤ毎に赤、緑、青の何れか１つの色の蛍光体を設け、ＬＥＤからの光を蛍光体に照射させることにより蛍光体から発光される赤、緑、青の光を用いてカラー画像を表示するものである。
【先行技術文献】
【特許文献】
【０００３】
【特許文献１】特開２００８−２０５９８５号公報
【発明の概要】
【発明が解決しようとする課題】
【０００４】
しかしながら、上記の表示装置では、ある１つの蛍光体に対して該蛍光体に対応するＬＥＤからの光の他に、そのＬＥＤに隣接するＬＥＤからの光が漏れ込むことが考えられる。
このような光の漏れ込みが発生すると、意図した色の光とは異なる色の光が表示されることになり、言い換えると、表示される色の純度が低下するおそれがある。
本発明はこのような事情に鑑みなされたものであり、その目的は、表示される色の純度を確保し、画質の向上を図る上で有利な表示素子および表示装置を提供することにある。
【課題を解決するための手段】
【０００５】
本発明の表示素子は、基板と、前記基板の一方の面に実装され近紫外線光または紫外光を発光する複数のＬＥＤと、前記基板の前記一方の面に対向して設けられた光透過性を有する透明板と、前記一方の面と前記透明板との間に、前記複数のＬＥＤ毎にそれらＬＥＤを収容する発光室を区画する隔壁と、前記発光室側に位置する前記隔壁の内面と、前記透明板との一方または双方に形成された蛍光体とを備え、前記蛍光体は、各発光室毎に、前記ＬＥＤから光が照射されることにより、赤色の光を発光する赤色蛍光体と、緑色の光を発光する緑色蛍光体と、青色の光を発光する青色蛍光体との何れかに選択されている。
また、本発明の表示装置は、複数の表示素子と、フレームとを備え、前記各表示素子は、基板と、前記基板の一方の面に実装され近紫外線光または紫外光を発光する複数のＬＥＤと、前記基板の前記一方の面に対向して設けられた光透過性を有する透明板と、前記一方の面と前記透明板との間に、前記複数のＬＥＤ毎にそれらＬＥＤを収容する発光室を区画する隔壁と、前記発光室側に位置する前記隔壁の内面と、前記透明板との一方または双方に形成された蛍光体とを備え、前記蛍光体は、各発光室毎に、前記ＬＥＤから光が照射されることにより、赤色の光を発光する赤色蛍光体と、緑色の光を発光する緑色蛍光体と、青色の光を発光する青色蛍光体との何れかに選択され、前記各ＬＥＤに駆動電流を供給することにより前記各ＬＥＤを発光させる駆動手段をさらに備え、前記フレームは板状を呈し、前記各表示素子が前記フレームの一方の面に隙間無く並べられて配置されることにより前記各表示素子により前記フレームの一方の面に単一の表示画面が形成され、前記各表示素子における前記発光室同士の間隔と、隣接する前記表示素子の境目を挟んで互いに隣接する前記発光室の間隔とは同一寸法で形成されている。
【発明の効果】
【０００６】
基板の一方の面と透明板との間に、複数のＬＥＤ毎にそれらＬＥＤを収容する発光室を区画する光透過性を有しない隔壁を設け、発光室側に位置する隔壁の内面と、透明板との双方または一方に蛍光体を設けた。
したがって、発光室のＬＥＤの光が隣り合う他の発光室の蛍光体に漏れ込むことが隔壁によって阻止される。
【図面の簡単な説明】
【０００７】
【図１】（Ａ）は本実施の形態の表示素子１０の平面図、（Ｂ）は（Ａ）のＢ矢視図、（Ｃ）は（Ａ）のＣ矢視図である。
【図２】図１（Ａ）のＤＤ線断面図である。
【図３】透明板１６に形成された赤色蛍光体２０Ｒと、緑色蛍光体２０Ｇと、青色蛍光体２０Ｂとを示す平面図である。
【図４】表示装置１００の構成を示す説明図である。
【図５】（Ａ）は駆動手段３０の構成を示すブロック図、図５（Ｂ）はＬＥＤ１４とアドレス線ａ、データ線ｂとの接続関係を示す図である。
【図６】（Ａ）乃至（Ｄ）はアドレス信号を示す信号図、（Ｅ）乃至（Ｆ）はデータ信号を示す信号図である。
【図７】アドレス線駆動部３４の構成例を示すブロック図である。
【図８】データ線駆動部３６の構成例を示すブロック図である。
【図９】ＰＷＭ制御部３６Ｂの具体的な構成を示すブロック図である。
【図１０】ＬＥＤドライブ３６Ｃの第１の構成例を示す回路図である。
【図１１】ＬＥＤドライブ３６Ｃの第２の構成例を示す回路図である。
【発明を実施するための形態】
【０００８】
（第１の実施の形態）
次に、本発明の表示素子１０および表示装置１００の実施の形態について図面を参照して説明する。
図１（Ａ）は本実施の形態の表示素子１０の平面図、（Ｂ）は（Ａ）のＢ矢視図、（Ｃ）は（Ａ）のＣ矢視図、図２は図１（Ａ）のＤＤ線断面図である。
図３は透明板１６に形成された赤色蛍光体２０Ｒと、緑色蛍光体２０Ｇと、青色蛍光体２０Ｂとを示す平面図である。
図１に示すように、表示素子１０は、基板１２と、複数のＬＥＤ１４と、透明板１６と、隔壁１８と、蛍光体２０と、駆動手段３０（図５）を含んで構成されている。
【０００９】
図１、図２に示すように、基板１２は板状を呈し、本実施の形態では、矩形板状を呈している。
基板１２は前面１２Ａと後面１２Ｂとを有している。
基板１２を形成する材料としては、ＬＥＤ１４からの発熱に耐え、かつ、放熱性を確保することができる材料であればよく、例えば、アルニウムなどの金属材料あるいは合成樹脂材料など従来公知のさまざまな材料が使用可能である。
図１において、符号２８は基板１２の後面１２Ｂに設けられ、各ＬＥＤ１４に駆動手段３０からの駆動電流を供給するためのコネクタを示す。また、符号２９は基板１２の後面１２Ｂに設けられた取り付け部材である。
【００１０】
図２に示すように、複数のＬＥＤ１４は、基板１２の前面１２Ａ（一方の面）に実装され近紫外線光または紫外光を発光するものである。
本明細書において、近紫外線光または紫外光は、３００ｎｍ以上４１０ｎｍ以下の波長の光である。
【００１１】
図１、図２に示すように、透明板１６は、基板１２と同じ輪郭の板状を呈し、基板１２の前面１２Ａに対向して設けられている。
透明板１６は、光透過性を有しており、透明板１６の材料としては、合成樹脂材料あるいはガラスなど従来公知のさまざまな材料が使用可能である。
【００１２】
図１、図２に示すように、隔壁１８は、光透過性を有しないものであり、前面１２Ａと透明板１６との間に設けられている。隔壁１８は前面１２Ａおよび透明板１６に接着剤を用いて取着されている。
隔壁１８は、複数のＬＥＤ１４毎にそれらＬＥＤ１４を収容する発光室２４を区画する。
隔壁１８の材料としては、光透過性を有しない合成樹脂材料など従来公知のさまざまな材料が使用可能である。
【００１３】
図２に示すように、蛍光体２０は、発光室２４側に位置する隔壁１８の内面と、透明板１６との双方に形成されている。蛍光体２０の隔壁１８および透明板１６に対する形成は印刷による塗布など従来公知のさまざまな方法によってなされている。
図３に示すように、蛍光体２０は、各発光室２４毎に、ＬＥＤ１４から光が照射されることにより赤色の光を発光する赤色蛍光体２０Ｒと、緑色の光を発光する緑色蛍光体２０Ｇと、青色の光を発光する青色蛍光体２０Ｂとの何れかに選択されている。
透明板１６に形成される蛍光体２０は、透明板１６がＬＥＤ１４に対向する面あるいは透明板１６が外方に対向する面の何れに形成されてもよい。
赤色蛍光体２０が設けられた発光室２４を赤色発光室２４Ｒと、緑色蛍光体２０が設けられた発光室２４を緑色発光室２４Ｇと、青色蛍光体２０が設けられた発光室２４を青色発光室２４Ｂとする。
図１、図３に示すように、これら赤色発光室２４Ｒ、緑色発光室２４Ｇ、青色発光室２４Ｂは順番に並べられている。
本実施の形態では、図３に示すように、１つの赤色発光室２４と、１つの緑色発光室２４と、１つの青色発光室２４とが直線状に並べられることによって１つの画素を構成する単位発光部２６が構成されている。
なお、各単位発光部２６を構成する赤色発光室２４Ａ、緑色発光室２４Ｇ、青色発光室２４Ｂの数や配置の形態は任意である。
そして、図１に示すように、各単位発光部２６は、基板１２の前面１２Ａ上において互いに直交する行方向（水平方向）および列方向（垂直方向）に沿って格子状に配置されている。
【００１４】
図５（Ａ）は駆動手段３０の構成を示すブロック図、図５（Ｂ）はＬＥＤ１４とアドレス線ａ、データ線ｂとの接続関係を示す図である。
図５（Ａ）では、行方向および列方向において４×４＝１６画素分の単位発光部２６を構成するＬＥＤ１４を、赤、緑、青の３色毎に分解して表示している。
図５（Ａ）に示すように、駆動手段３０は、各ＬＥＤ１４に駆動電流を供給することにより各ＬＥＤ１４を発光させるものである。
すなわち、各ＬＥＤ１４のカソードがアドレス線ａに接続され、アノードがデータ線ｄに接続されている。
したがって、アドレス線ａが選択され（ハイレベルとなり）、かつ、データ線ｄが有効となる（ローレベルとなる）と、該当するＬＥＤ１４に駆動電流が供給されこれによりＬＥＤ１４が発光する。
【００１５】
本実施の形態では、駆動手段３０は、タイミングコントローラ３２、アドレス線駆動部３４、データ線駆動部３６を含んで構成されている。
【００１６】
タイミングコントローラ３２は、外部装置から供給されるビデオデータに基づいてタイミング信号をアドレス線駆動部３４に供給する。
図６（Ａ）乃至（Ｄ）に示すように、アドレス線駆動部３４は、前記タイミング信号に基づいてアドレスデータａ１，ａ２，ａ３，ａ４を順次生成する。
【００１７】
図６（Ｅ）乃至（Ｈ）に示すように、データ線駆動部３６は、外部装置から供給されるビデオデータに基づいてデータ信号ｄｒ１、ｄｒ２、ｄｒ３、ｄｒ４を生成する。
本例では、データ信号ｄｒ１、ｄｒ２、ｄｒ３、ｄｒ４は、赤色発光室２４Ｒに対応する図５（Ａ）の４×４＝１６画素分のＬＥＤ１４に供給するデータ信号を示している。
したがって、図６に示すようなタイミングでアドレス信号とデータ信号とを赤色発光室２４Ｒに対応する各ＬＥＤ１４に供給することにより、各ＬＥＤ１４に駆動電流を供給して各ＬＥＤ１４を発光させることができる。
緑色発光室２４Ｇおよび青色発光室２４Ｂに対応するＬＥＤ１４についてもこれと同様である。
すなわち、図５（Ａ）の緑色発光室２４Ｇに対応する４×４＝１６画素分のＬＥＤ１４に供給するデータ信号ｄｇ１、ｄｇ２、ｄｇ３、ｄｇ４をデータ線駆動部３６によって生成して各ＬＥＤ１４に供給する。これにより、緑色発光室２４Ｇに対応する各ＬＥＤ１４に駆動電流を供給して各ＬＥＤ１４を発光させることができる。
また、図５（Ａ）の青色発光室２４Ｂに対応する４×４＝１６画素分のＬＥＤ１４に供給するデータ信号ｄｂ１、ｄｂ２、ｄｂ３、ｄｂ４をデータ線駆動部３６によって生成して各ＬＥＤ１４に供給する。これにより、青色発光室２４Ｂに対応する各ＬＥＤ１４に駆動電流を供給して各ＬＥＤ１４を発光させることができる。
【００１８】
図７はアドレス線駆動部３４の構成例を示すブロック図である。
アドレス線駆動部３４は、アドレスカウンター３４Ａと、アドレス線ドライバー３４Ｂとを備えている。
アドレスカウンター３４Ａは、図５のタイミングコントローラ３２から供給される制御信号、すなわち、列方向のリセット信号Ｖｒｅｓｅｔ，行方向のリセット信号Ｈｒｅｓｅｔによって計数動作を行う。
アドレス線ドライバー３４Ｂは、アドレスカウンター３４Ａから供給される計数データに基づいてアドレス信号ａ１乃至ａ４を順番にかつ択一的に「Ｌ」から「Ｈ」にする。
【００１９】
図８はデータ線駆動部３６の構成例を示すブロック図である。
データ線駆動部３６は、シフトレジスタ３６Ａ、複数のＰＷＭ制御部３６Ｂ、複数のＬＥＤドライブ３６Ｃを含んで構成されている。
シフトレジスタ３６Ａは、外部装置から供給されるビデオデータを、前記のリセット信号Ｈｒｅｓｅｔに基づいてＨライン単位にビデオデータを順次シフトしながら該当するＰＷＭ制御部３６Ｂに供給する。
ＰＷＭ制御部３６Ｂは、シフトレジスタ３６Ａから供給されるビデオデータとしてのデータ信号をＰＷＭ制御するものである。これにより、ＬＥＤ１４の発光時間を制御しＬＥＤ１４の発光量を制御する。図６の（Ｅ）乃至（Ｈ）において細かい点を施した部分がＰＷＭ制御される部分を示している。
ＬＥＤドライブ３６Ｃは、ＰＷＭ制御部３６ＢによってＰＷＭ制御されたデータ信号に基づいて駆動信号を生成してＬＥＤ１４に供給するものである。
【００２０】
図９はＰＷＭ制御部３６Ｂの具体的な構成を示すブロック図である。
ＰＷＭ制御部３６Ｂは、カウンター４２、ＰＷＭ  Ｒレジスタ４４Ｒ、ＰＷＭ  Ｇレジスタ４４Ｇ、ＰＷＭ  Ｂレジスタ４４Ｂ、比較回路４６Ｒ，４６Ｇ，４６Ｂを含んで構成されている。
この場合、ＰＷＭ  Ｒレジスタ４４Ｒ、ＰＷＭ  Ｇレジスタ４４Ｇ、ＰＷＭ  Ｂレジスタ４４Ｂには、赤色、緑色、青色の明るさ値を示すデータがそれぞれセットされる。
それらセットされたデータと、クロックをカウントするカウンター４２の計数値とが各比較回路４６Ｒ，４６Ｇ，４６Ｂで比較される。
前記セットされたデータが前記計数値よりも小さい間は、比較回路４６Ｒ，４６Ｇ，４６Ｂの出力信号、すなわち、赤色発光室２４Ｒ、緑色発光室２４Ｇ、青色発光室２４Ｂに対応するＬＥＤ１４に供給するデータ信号を「Ｈ」とする。
【００２１】
なお、ＬＥＤドライブ３６Ｃは、図１０に示すように、インバータ３６２０と、抵抗３６２２とを用いた直列抵抗回路によって構成することもできる。
あるいは、図１０に示すように、電流を供給するドライバー３６０２と、３つの抵抗３６０４、３６０６、３６０８と、１つのトランジスタ３６１０とによって構成された定電流回路によって構成することができる。この場合は、ＬＥＤ１４に供給される電流を一定に保持することでＬＥＤ１４の発光量（輝度）を一定に保持する上で有利となる。
【００２２】
次に、表示素子１０の動作について説明する。
図２に示すように、各ＬＥＤ１４が駆動手段３０から供給される駆動電流によって発光すると、ＬＥＤ１４からの近紫外光あるいは紫外光は各発光室２４の蛍光体２０に照射される。
より詳細には、ＬＥＤ１４からの光の一部は隔壁１８に形成された蛍光体２０を照射し、これにより、蛍光体２０が発光する。また、ＬＥＤ１４からの残りの光は透明体１６の蛍光体２０を照射し、これにより、蛍光体２０が発光する。
このようにして各蛍光体２０が発光することによって各発光室２４から赤色、緑色、青色の光が透明板１６からその前方に向けて照射される。
この結果、各単位発光部２６が発光することにより、すなわち、各画素が発光することにより、表示素子１０の透明板１６の部分に画像が表示される。
【００２３】
本実施の形態によれば、基板１２の表面１２Ａと透明板１６との間に、複数のＬＥＤ１４毎にそれらＬＥＤ１４を収容する発光室２４を区画する隔壁１８を設け、発光室２４側に位置する隔壁１８の内面と、透明板１６との双方に蛍光体２０とを設けた。
したがって、ある発光室２４のＬＥＤ１４の光が隣り合う他の発光室２４の蛍光体２０に漏れ込むことが隔壁１８によって阻止される。
したがって、意図した色の光とは異なる色の光が表示され、表示される色の純度が低下することを防止することができ、表示される色の純度を確保し、画質の向上を図る上で有利となる。
【００２４】
なお、本実施の形態では、蛍光体２０を発光室２４側に位置する隔壁１８の内面と、透明板１６との双方に設けたが、蛍光体２０を発光室２４側に位置する隔壁１８の内面と、透明板１６との何れか一方のみに設けても良い。
但し、本実施の形態のようにすると、隔壁１８の内面と、透明板１６との双方に蛍光体２０が設けられているので、蛍光体２０の面積を確保できるため、蛍光体２０からの発光量を確保する上で有利となり、したがって、表示素子１０の輝度の向上を図る上で有利となる。
また、蛍光体２０を透明板１６に設けた場合は、面発光となるため、表示素子１０を前方から視認した場合に、輝度ムラがなく画質の向上を図る上で有利となる。
【００２５】
次に、図４を参照して表示装置１００について説明する。
表示装置１００は、複数の表示素子１０と、フレーム７０とを含んで構成されている。
フレーム７０は矩形板状を呈している。
各表示素子１０がフレーム７０の一方の面７０Ａに隙間無く並べられて配置されることにより各表示素子１０によりフレーム７０の一方の面７０Ａに単一の表示画面７４が形成されている。
より詳細には、フレーム７０の一方の面７０Ａには、表示素子１０のコネクタ２８に接続されるコネクタ７２が設けられている。
各コネクタ７２は、駆動手段３０に不図示の配線部を介して電気的に接続されている。
各表示素子１０は、基板１２の後面１２Ｂに設けられた取り付け部材２９（図１）を介してフレーム７０の一方の面７０Ａに、ねじなどの取り付け手段を用いて取着される。
【００２６】
この場合、各表示素子１０における発光室２４同士の間隔と、隣接する表示素子１０の境目を挟んで互いに隣接する発光室２４の間隔とは同一寸法で形成されている。
これにより、単一の表示画面７４上において、隣接する表示素子１０の境目の線状の部分が視覚的に目立つことがなく、表示画面７４の見易さを確保する上で有利となる。
【００２７】
このように複数の表示素子１０とフレーム７０とによって表示装置１００を構成することができるため、例えば、１００インチ、２００インチといった大画面の表示装置１００を容易に実現することができる。
特に、表示素子１０における蛍光体２０を透明板１６に設けた場合は、表示装置１００の表示画面の全体が面発光となるため、輝度ムラが少なく、画質の向上を図りつつ、大画面の表示装置１００を実現する上でより有利となる。
【００２８】
なお、本実施の形態の表示装置１００と、プラズマディスプレイと比較すると、次のような効果が得られる。
プラズマディスプレイでは、ガラスパネルの大型化に限界があるため、例えば、１００インチ、２００インチといった大画面を構成することが困難であるのに対して、本実施の形態の表示装置１００では大画面を用意に構成することができる。
仮に、本実施の形態と同様に複数のプラズマディスプレイをフレーム上に並べて配置したとしても、プラズマディスプレイは、その外周部分に電極を構成する部材などを配置せざるを得ないため、画像を表示できない枠状の領域が発生する。
そのため、複数のプラズマディスプレイの境目の線状の部分が視覚的に目立つことになり、表示画面の見易さが損なわれる不利がある。
これに対して、本実施の形態では、表示素子１０の外周部分に画像を表示できない枠状の領域が無いため、隣接する表示素子１０の境目の線状の部分が視覚的に目立つことがなく、表示画面７４の見易さを確保する上で有利となる。
【符号の説明】
【００２９】
１０……表示素子、１２……基板、１４……ＬＥＤ、１６……透明板、１８……隔壁、２４……発光室、２０……蛍光体、３０……駆動手段、７０……表示装置、７２……フレーム。
【図１】
2011048127.tif 000003
【図２】
2011048127.tif 000004
【図３】
2011048127.tif 000005
【図４】
2011048127.tif 000006
【図５】
2011048127.tif 000007
【図６】
2011048127.tif 000008
【図７】
2011048127.tif 000009
【図８】
2011048127.tif 000010
【図９】
2011048127.tif 000011
【図１０】
2011048127.tif 000012
【図１１】
2011048127.tif 000013